(57)【特許請求の範囲】
【請求項１】
操作部と、
表示部と、
前記表示部に表示された画面のうちの一部の領域の明度を変更する制御部と、を備え、
前記制御部は、前記画面の一部の領域の明度が他の領域の明度に比して低く変更されている状態において、前記操作部による操作に応じて、前記画面の一部の領域の明度の変更を解除し、前記明度の変更が解除されてから第１の時間に近づくにつれて徐々に前記画面の一部の領域の明度を解除する前の状態に戻す電子機器。
【請求項２】
前記操作部は、前記表示部に重畳されたタッチセンサであり、
前記制御部は、前記タッチセンサにより前記明度が変更された一部の領域に対する接触を検出すると、当該領域の明度の変更を解除する請求項１に記載の電子機器。
【請求項３】
前記制御部は、前記画面の一部の領域に対する明度の変更が解除されてから第１の時間が経過した場合、当該一部の領域の明度を解除する前の状態に戻す請求項１又は２に記載の電子機器。
【請求項４】
前記制御部は、前記表示部に表示された画面内において、所定の条件を満たす部分を前記表示部の一部の領域として、当該部分の明度を変更する請求項１乃至３のいずれか一項に記載の電子機器。
【請求項５】
前記所定の条件を満たす部分とは、所定の文字列を含む部分である請求項４に記載の電子機器。
【請求項６】
前記制御部は、前記所定の文字列を含む一部の領域の明度が変更された場合、当該文字列に隣接する文字列を含む部分の明度を変更する請求項４又は５に記載の電子機器。
【請求項７】
前記制御部は、前記明度を変更する一部の領域に文字列が含まれる場合には、当該文字列の情報に基づいて前記明度を変更する一部の領域のサイズを調整する請求項１乃至６のいずれか一項に記載の電子機器。
【請求項８】
通信部をさらに備え、
前記制御部は、前記通信部によって受信したメールに所定の画像が添付されている場合には、前記所定の画像が前記表示部に表示される部分の明度を変更する請求項１乃至７のいずれか一項に記載の電子機器。
【請求項９】
前記明度は、コントラスト比又は輝度である請求項１乃至８のいずれか一項に記載の電子機器。
【請求項１０】
前記表示部は、有機ＥＬ表示部又は液晶表示部である請求項１から９のいずれか一項に記載の電子機器。
【請求項１１】
操作部と、表示部と、前記表示部に表示された画面のうちの一部の領域の明度を変更する制御部と、を備える電子機器の制御方法において、
前記画面の一部の領域の明度が他の領域の明度に比して低く変更されている状態において、前記操作部による操作に応じて、前記画面の一部の領域の明度の変更を解除し、前記明度の変更が解除されてから第１の時間に近づくにつれて徐々に前記画面の一部の領域の明度を解除する前の状態に戻す制御方法。
【請求項１２】
操作部と、画面を表示する表示部と、を備える電子機器を制御するプログラムにおいて、
前記画面の一部の領域の明度が他の領域の明度に比して低く変更されている状態において、前記操作部による操作に応じて、前記画面の一部の領域の明度の変更を解除し、前記明度の変更が解除されてから第１の時間に近づくにつれて徐々に前記画面の一部の領域の明度を解除する前の状態に戻す工程をコンピュータに実行させるプログラム。
【請求項１３】
操作部と、
表示部と、
前記表示部に表示された画面のうちの一部の領域の明度を変更する制御部と、を備え、
前記制御部は、前記画面の一部の領域の明度が他の領域の明度に比して低く変更されている状態において、前記操作部による操作に応じて、前記画面の一部の領域の明度の変更を解除し、前記画面の一部の領域に対する明度の変更が解除されてから、前記画面の一部の領域に含まれる文字列の種類に応じて設定される第１の時間が経過した場合、当該一部の領域の明度を解除する前の状態に戻す電子機器。
【請求項１４】
操作部と、画面を表示する表示部と、を備える電子機器を制御するプログラムにおいて、
前記画面の一部の領域の明度が他の領域の明度に比して低く変更されている状態において、前記操作部による操作に応じて、前記画面の一部の領域の明度の変更を解除し、前記画面の一部の領域に対する明度の変更が解除されてから、前記画面の一部の領域に含まれる文字列の種類に応じて設定される第１の時間が経過した場合、当該一部の領域の明度を解除する前の状態に戻す工程をコンピュータに実行させるプログラム。
【発明の詳細な説明】
【技術分野】
【０００１】
本発明は、表示部への覗き見を防止する電子機器及びその制御方法及びプログラムに関する。
【背景技術】
【０００２】
従来より、携帯電話機の表示面に所定の角度からのみ表示面を閲覧可能に構成されたフィルムを貼り付けて、操作者以外の者から画面を覗き見されることを防止することが行われる。
【０００３】
また、覗き見を防止する他の手法としては、例えば、特許文献１に記載されるものが知られている。この特許文献１には、画面全体の視野角を狭くして、覗き見を防止する手法が記載されている。また、特許文献１には、画面全体の視野角を狭くするためのフィルタとなる液晶セルが設けられ、当該液晶セルを制御することにより画面全体の視野角を狭くしていることが記載されている。
【先行技術文献】
【特許文献】
【０００４】
【特許文献１】特開平９−１０５９５８号公報
【発明の概要】
【発明が解決しようとする課題】
【０００５】
しかし、上述した特許文献１においては、画面全体の視野角が狭くなり、画面全体が見えづらくなってしまうため、画面の一部分のみ覗かれたくないユーザにとって、かえって使い勝手が悪いという問題があった。
【０００６】
そこで、本発明は、ユーザにとって覗き見されたくない一部分の画面の覗き見を防止すると共に、所定の操作によりその部分をユーザにも閲覧可能にすることができる電子機器及びその制御方法及びプログラムを目的とする。
【課題を解決するための手段】
【０００７】
本発明に係る電子機器は、上記課題を解決するために、操作部と、表示部と、前記表示部に表示された画面のうちの一部の領域の明度を変更する制御部と、を備え、前記制御部は、前記画面の一部の領域の明度が他の領域の明度に比して低く変更されている状態において、前記操作部による操作に応じて、前記画面の一部の領域の明度の変更を解除し、前記明度の変更が解除されてから第１の時間に近づくにつれて徐々に前記画面の一部の領域の明度を解除する前の状態に戻す構成である。
【０００８】
また、上記電子機器では、前記操作部は、前記表示部に重畳されたタッチセンサであり、前記制御部は、前記タッチセンサにより前記明度が変更された一部の領域に対する接触を検出すると、当該領域の明度の変更を解除することが好ましい。
【０００９】
また、上記電子機器では、前記制御部は、前記画面の一部の領域に対する明度の変更が解除されてから第１の時間が経過した場合、当該一部の領域の明度を解除する前の状態に戻すことが好ましい。
【００１２】
また、上記電子機器では、前記制御部は、前記表示部に表示された画面内において、所定の条件を満たす部分を前記表示部の一部の領域として、当該部分の明度を変更することが好ましい。
【００１３】
また、上記電子機器では、前記所定の条件を満たす部分とは、所定の文字列を含む部分であることが好ましい。
【００１４】
また、上記電子機器では、前記制御部は、前記所定の文字列を含む一部の領域の明度が変更された場合、当該文字列に隣接する文字列を含む部分の明度を変更することが好ましい。
【００１５】
また、上記電子機器では、前記制御部は、前記明度を変更する一部の領域に文字列が含まれる場合には、当該文字列の情報に基づいて前記明度を変更する一部の領域のサイズを調整することが好ましい。
【００１６】
また、上記電子機器では、通信部をさらに備え、前記制御部は、前記通信部によって受信したメールに所定の画像が添付されている場合には、前記所定の画像が前記表示部に表示される部分の明度を変更することが好ましい。
【００１７】
また、上記電子機器では、前記明度は、コントラスト比又は輝度であることが好ましい。
【００１８】
また、上記電子機器では、前記表示部は、有機ＥＬ表示部又は液晶表示部であることが好ましい。
【００１９】
また、別の発明に係る制御方法は、上記課題を解決するために、操作部と、表示部と、前記表示部に表示された画面のうちの一部の領域の明度を変更する制御部と、を備える電子機器の制御方法において、前記画面の一部の領域の明度が他の領域の明度に比して低く変更されている状態において、前記操作部による操作に応じて、前記画面の一部の領域の明度の変更を解除し、前記明度の変更が解除されてから第１の時間に近づくにつれて徐々に前記画面の一部の領域の明度を解除する前の状態に戻す構成である。
【００２０】
また、別の発明に係るプログラムは、操作部と、画面を表示する表示部と、を備える電子機器を制御するプログラムにおいて、前記画面の一部の領域の明度が他の領域の明度に比して低く変更されている状態において、前記操作部による操作に応じて、前記画面の一部の領域の明度の変更を解除し、前記明度の変更が解除されてから第１の時間に近づくにつれて徐々に前記画面の一部の領域の明度を解除する前の状態に戻す工程をコンピュータに実行させるものである。
本発明に係る電子機器は、上記課題を解決するために、操作部と、表示部と、前記表示部に表示された画面のうちの一部の領域の明度を変更する制御部と、を備え、前記制御部は、前記画面の一部の領域の明度が他の領域の明度に比して低く変更されている状態において、前記操作部による操作に応じて、前記画面の一部の領域の明度の変更を解除し、前記画面の一部の領域に対する明度の変更が解除されてから、前記画面の一部の領域に含まれる文字列の種類に応じて設定される第１の時間が経過した場合、当該一部の領域の明度を解除する前の状態に戻す構成である。
プログラムは、操作部と、画面を表示する表示部と、を備える電子機器を制御するプログラムにおいて、前記画面の一部の領域の明度が他の領域の明度に比して低く変更されている状態において、前記操作部による操作に応じて、前記画面の一部の領域の明度の変更を解除し、前記画面の一部の領域に対する明度の変更が解除されてから、前記画面の一部の領域に含まれる文字列の種類に応じて設定される第１の時間が経過した場合、当該一部の領域の明度を解除する前の状態に戻す工程をコンピュータに実行させるものである。
【発明の効果】
【００２１】
本発明によれば、ユーザにとって覗き見されたくない一部分の画面の覗き見を防止すると共に、所定の操作によりその部分をユーザにも閲覧可能にすることができる。
【図面の簡単な説明】
【００２２】
【図１】本発明に係る電子機器の一例である携帯電話機の外観斜視図である。
【図２】本実施形態に係る携帯電話機の機能的構成を示す機能ブロック図である。
【図３】送信するメールを表示した表示画面の一例を示す模式図である。
【図４】受信したメールを表示した表示画面の一例を示す模式図である。
【図５】受信したメールを表示した表示画面の他の一例を示す模式図である。
【図６】携帯電話機におけるメールの送信処理に係る一連の動作の流れを示したフロー図である。
【図７】携帯電話機において受信したメールの表示処理に係る動作の流れを示すフロー図である。
【発明を実施するための形態】
【００２３】
以下、本発明の実施の形態について説明する。図１は、本発明に係る電子機器の一例である携帯電話機１の外観斜視図である。なお、以下では、携帯電話機１について説明するが、本発明はこれに限定されるものではなく、表示機能を有するものであればよく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ノートパソコン等であってもよい。
【００２４】
本実施形態における携帯電話機１は、図１に示すように、タッチパネル２と、マイク３と、スピーカ４とを備える。
タッチパネル２は、表示部５及び操作部６が重畳的に配置されて構成される。
【００２５】
表示部５は、有機ＥＬ（Ｅｌｅｃｔｒｏ−Ｌｕｍｉｎｅｓｃｅｎｃｅ）パネルから構成され、例えばアドレス帳、電話発信時における発信先の電話番号、電話受信時における発信元の電話番号、及び受信メールや送信メールの内容等を表示する。
【００２６】
また、表示部５は、画面のコントラスト比又は輝度を変更可能に構成される共に、画面の一部の領域に対しても変更可能に構成される。すなわち、表示部５は、画面の一部の領域に対する明度を変更可能に構成される。ここで、明度とは、色の属性のひとつで、その色の明暗の度合いのことである。明度を数値で表すと、その数値が高いほど、画面は明るみを増して白色になり、その数値が低いほど、画面は明るみが減り、黒色となる。つまり、画面においては、明度が高いほど見えやすくなり、明度が低いほど見えづらくなる。本発明においては、明度に係る特性を利用して、覗き見を防止する際には、明度を低く変更する。
【００２７】
また、操作部６は、表示部５に表示された画像を透過可能であり、押圧による操作入力を受け付けるタッチパネル２（タッチセンサ）として構成される。
マイク３は、通話における音声を入力する。
スピーカ４は、通話における音声を出力する。
【００２８】
このように構成される携帯電話機１においては、画面の内容に応じて画面を部分的に見えづらくして覗き見を防止すると共に、ユーザの所望の操作により部分的に見えづらい画面を閲覧可能にすることができる機能を有する。なお、以下、本実施形態に係る携帯電話機１を送受信側の双方に用いて、送信側の携帯電話機１でメールの作成を行って受信側の携帯電話機１に送信し、受信したメールを受信側の携帯電話機１で閲覧する例を用いて説明する。
【００２９】
まず、メール送信側の携帯電話機１において、メールの内容を決定した後に、メールの一部の領域の明度を変更するための機能的構成について、図２及び図３を用いて説明する。図２は、本実施形態に係る携帯電話機１の機能的構成を示す機能ブロック図である。図３は、送信するメールを表示した表示画面の一例を示す模式図である。詳細には、図３（ａ）は明度を変更する前の表示画面の模式図であり、図３（ｂ）は明度の変更後の表示画面の模式図である。なお、図３及び後述する図４では、明度が低く変更された部分を斜線で示している。
【００３０】
携帯電話機１は、上述した構成に加えて、図２に示すように、制御部７と、記憶部８と、通信部９と、を備える。
制御部７は、表示される画面のうちの一部の領域の明度を他の領域の明度よりも低く変更するように表示部５を制御する。
【００３１】
記憶部８は、画面の一部の領域の明度を変更する前の値を記憶し、アドレス帳データや文字データやタッチパネル２（操作部６）での操作を記憶して後の制御に用いる学習データ等の各種データを記憶する。
通信部９は、メールや通話等のデータを送受信可能に構成される。
【００３２】
このように構成される携帯電話機１においては、ユーザが画面の明度を低くしたい領域を指定する操作を行うと、指定された領域の明度を低くするように表示部５を制御する。この際、記憶部８においては、画面の明度を低くした領域のデータや低くした明度の値のデータや低くする前の明度の値のデータが記憶される。これらのデータは、例えば、送信されるメールのデータに添付されメールを受信した装置で利用されたり、ブラウザ表示の際に利用されたりする。
【００３３】
具体的には、図３（ａ）に示すようなメールを、例えば、タッチパネル２をなぞる（以下、スワイプという。）等の領域を指定する操作を行うことで、図３（ｂ）に示すように、指定した領域の明度が低く変更される。なお、本実施形態において、領域を指定する操作は、タッチパネル２をスワイプする操作により構成したがこれに限られない。領域を指定する操作は、明度を低くするという明示的な操作であればよく、例えば、操作部６を操作ボタンとして構成した場合には、ボタン操作により領域を指定するように構成することができる。
【００３４】
また、携帯電話機１においては、当該明度を低くした領域の明度を、明度を低くなる前の明度に戻す場合には、例えば、明度を低くする操作と同様に、明度を低くした領域をスワイプする操作により行うように構成することができる。結果として、明度が低くなる前の状態に戻り、ユーザは、画面を閲覧することができる。
【００３５】
したがって、携帯電話機１においては、画面の明度が低い状態では、ユーザ及びその周囲に位置する第３者は、明度が低い領域を閲覧できず、第３者による覗き見を防止することができる。
一方、携帯電話機１の操作者が明度の低い領域を見たい場合には、明度の低い領域を指定する操作を行うと、指定された領域の明度の変更が解除されるために、ユーザのタイミングで閲覧が可能になる。
【００３６】
また、携帯電話機１においては、指定された領域の背景色等を変更しているわけではなく、ハードウエアとして、領域の明度を変更しているために、アプリケーションの種類等に依存することがなく利用することができる。このため、携帯電話機１においては、搭載されるアプリケーションに関係なく、様々な装置においても同様の表示を行わせることができる。
【００３７】
また、携帯電話機１では、制御部７によって表示部５に表示された画面内において、所定の条件を満たす部分を表示部５の一部の領域として、当該部分の明度を変更する。
したがって、携帯電話機１においては、例えば、テキスト文字、固有名詞、アドレス帳に登録されるデータ等が含まれる所定の条件を満たす部分を判断して自動的に明度の低い領域を設定することができる。このため、ユーザは、明度を変更する領域を指定する操作が不要になる。なお、上記動作は、例えばネットワークを経由するメール等のデータにおいて、ネットワーク上に位置するサーバやデータを受信した端末によって実行されてもよい。
【００３８】
携帯電話機１では、所定の条件を満たす部分とは、所定の文字列を含む部分として構成することができる。
そこで、携帯電話機１では、所定の条件を、例えば、テキスト文字として構成した場合には、画面に表示されるテキスト文字の明度を、自動的に低く変更する。具体的な例としては、メールを作成したとき、「Ｍｅｒｒｙ  ★デートにいこ！  Ｃｈｒｉｓｔｍａｓ」がテキスト文字である場合には、図３（ａ）に示すような状態から、画面に表示される当該テキスト文字を判断して、図３（ｂ）に示すような当該テキスト文字に係る領域の明度を自動的に変更することができる。
【００３９】
また、携帯電話機１では、所定の条件を、例えば、固有名詞として構成した場合には、画面に表示される固有名詞を解析して、固有名詞の明度を、自動的に低く変更する。具体的な例としては、所定の条件を固有名詞として構成した場合には、固有名詞である「タロー」に係る領域の明度を自動的に変更することができる。
【００４０】
また、携帯電話機１では、所定の条件を、例えば、記憶部８に記憶される文字データとして構成した場合には、画面に表示される文字データを解析して、文字データに係る明度を、自動的に低く変更する。具体的な例としては、所定の条件を記憶部８に記憶される文字データが「デート」である場合には、「デート」に係る領域の明度を自動的に変更することができる。
【００４１】
また、携帯電話機１では、制御部７は、前記所定の文字列を含む一部の領域の明度が変更された場合、当該文字列に隣接する文字列を含む部分の明度を変更する。
したがって、例えば、図３（ｂ）に示す状態から、固有名詞として自動的に「タロー」に係る領域の明度が変更される場合に、図３（ｂ）に示すように、「タロー」に隣接する「より」部分の明度も合わせて変更する。
したがって、携帯電話機１においては、例えば、ユーザが明度を低くする領域を指定し忘れた場合でも、確実に明度を低くしたい部分に係る領域を検出して、自動的に明度を低くすることができる。また、隣接する文字列の明度を変更することによって、覗き見られたくない文字列を隣接する文字列から類推されることを防止することができる。なお、隣接する文字は、横隣でなくても、上下であってもよい。
【００４２】
また、携帯電話機１では、制御部７は、明度が変更された一部の領域に文字列が含まれる場合には、当該文字列の情報に基づいて一部の領域のサイズを調整する。したがって、携帯電話機１においては、文字列の情報（フォント、サイズ等）に合わせて明度を変更する領域が設定されるため、余分な領域において明度が変更されることがない。また、ユーザの設定によりフォント等が変更されても、その度に、変更された文字列に関する情報を参照することで、領域の大きさを更新する。
【００４３】
また、携帯電話機１では、制御部７は、受信したメールに所定の画像が添付されている場合には、所定の画像が表示部５に表示される部分の明度を変更する。
したがって、携帯電話機１では、例えば、所定の画像がハートの図柄の画像として構成されている場合には、図３（ａ）に示すような状態から、図３（ｂ）に示すようにハートの図柄の画像に係る領域の明度を自動的に低く変更することができる。なお、上述の動作は、メールの送信側端末において行われることが前提になっているがこれに限られず、受信側の端末で行われてもよい。
【００４４】
次に、メールの受信側において、明度が低く変更された領域の解除を行う場合について図２、図４及び図５を用いて説明する。図４は、受信したメールの表示画面の一例を示す模式図である。詳細には、図４（ａ）は受信したメールの表示画面を示す模式図であり、図４（ｂ）は明度が低く変更された領域の解除操作を示す模式図で、図４（ｃ）は解除後のメールの表示画面を示す図である。図５は、受信したメールの表示画面の他の一例を示す模式図である。詳細には、図５（ａ）は明度が低く変更された領域の一部の領域を解除する状態を示す模式図で、図５（ｂ）は解除した領域が再び明度が低くなる様子を示す模式図で、図５（ｃ）は解除後に所定時間経過した状態を示す図である。
【００４５】
携帯電話機１は、ユーザが画面の明度の低い領域を指定する操作を行うと、指定された領域の明度が記憶部８に記憶されている明度を低くする前の値に変更する。
また、制御部７は、画面の一部の領域の明度が他の領域の明度に比して低く変更されている状態において、操作部６による操作に応じて、画面の一部の領域の明度の変更を解除し、記憶部８に記憶されている値を参照し、当該画面の一部の領域の明度を変更する前の状態に調整する。
【００４６】
具体的には、例えば、図４（ａ）に示す状態で、画面を所定回数叩く（以下、タップするという。）操作を行うことにより、画面の変更が可能な図４（ｂ）に示す状態に移行する。なお、図中において、斜線で示す領域の周囲が破線になった状態が画面の変更が可能である状態を示している。
次いで、携帯電話機１では、図４（ｂ）に示す状態において、明度が低く変更された領域をスワイプする操作が行われると、図４（ｃ）に示すように、明度が低く変更される前の値の明度に変更される。つまり、他の領域と同様の明度に変更される。
なお、明度の解除方法は、上述した例に限られず、種々の方法を取ることができる。明度が低く変更されている領域は、他の者に閲覧させたくない部分であることから、例えば、タップの回数やスワイプの速度等、特定の操作で解除されるように構成したり、送受信者で解除方法を個別に設定したりすることで、他者が明度の解除を行うことが困難になり、セキュリティを向上させることができる。
【００４７】
したがって、携帯電話機１においては、画面の明度が低い状態では、携帯電話機１の操作者以外の他者から当該明度の低い領域を覗き見される可能性は低い。一方、携帯電話機１の操作者が明度の低い領域を閲覧する場合には、明度の低い領域を指定する操作を行うと、指定された領域の明度が明度を低くする前の明度に変更される。
また、携帯電話機１においては、指定された領域の背景色等を変更しているわけではなく、ハードウエアとして、領域の明度を変更しているために、アプリケーションの種類等に依存することがなく利用することができる。このため、携帯電話機１においては、搭載されるアプリケーションに関係なく、様々な装置においても同様の表示を行わせることができる。
【００４８】
制御部７は、タッチパネル２で構成される操作部６により明度が変更された一部の領域に対する接触を検出すると、当該領域の明度を変更前の状態に調整する。
したがって、ユーザは、直感的な操作で、明度の変更を行うことができる。
【００４９】
また、携帯電話機１では、制御部７は、画面の一部の領域に対する明度の変更が解除されてから所定の時間（第１の時間）が経過した場合、当該一部の領域の明度を解除する前の状態に戻す。
【００５０】
具体的には、携帯電話機１では、例えば、図５（ａ）に示すように、スワイプすることによって明度が低く変更された領域の解除をした場合には、所定時間経過すると、図５（ｃ）に示すようなメール受信状態の明度が低く変更された状態へと戻る。
また、本実施形態においては、所定時間経過するにつれて図５（ａ）から図５（ｂ）を経て、図５（ｃ）となるように、徐々に明度が所定の明度になるように変更される。このように構成すると、ユーザは視覚的に明度の変更を認識することができる。
【００５１】
したがって、携帯電話機１においては、例えば、ユーザの操作によって、指定された明度の低い領域の明度が明度を低くする前の明度に変更された場合には、明度の変更が解除されてから所定の時間経過後に、明度を変更前の低い値に変更する。このため、携帯電話機１では、例えば、電車等で急に混んで、手操作するのが難しい時でも自動的に再度覗き見を防止した状態に戻すことができる。ユーザは覗き見を心配することなく、画面の閲覧を行うことができる。
【００５２】
また、携帯電話機１では、制御部７は、前記画面の一部の領域に含まれる文字列の種類に応じて、所定の時間（第１の時間）の長さを調整する。
【００５３】
具体的には、携帯電話機１では、例えば、図５（ａ）に示すように、「デートにいこ！」の文字に係る領域の明度を解除した場合に、「デートにいこ！」の文字うち「デート」等の特定の文字に係る領域の明度を低く変更する時間を早くしたりすることができる。
【００５４】
したがって、携帯電話機１においては、例えば、特定の文字列や文字のフォント等の文字列の種類に応じて、明度を低くする時間を調整するために、例えば、当該文字列の重要度に合わせて表示時間を変える等に変化をつけることができる。なお、所定の時間は、例えば、ブラウザ画面やメール画面等の表示される画面に応じても明度を低くする時間を調整することができる。
【００５５】
次に、携帯電話機１のメールの作成から送信に係る処理、そして、メールの受信から閲覧に係る処理を、ユーザの操作と合わせて説明する。なお、以下の説明において、上述した明度の変更された領域については、視覚的に当該領域にフィルタがかけられて（設定されて）見えづらい状態となることから、明度を低くするという用語に代えてフィルタという用語を用いて説明を行うこととする。
【００５６】
まず、携帯電話機１におけるメールの送信処理に係る一連の動作について、ユーザの操作と共に、図６を用いて説明する。図６は、携帯電話機１におけるメールの送信処理に係る一連の動作の流れを示したフロー図である。なお、本動作においては、メールの内容の決定までのメールの作成に係る説明は省略する。すなわち、送信する内容が決定されたメールが作成された状態からの動作を説明する。
【００５７】
ステップＳＴ１において、制御部７は、ユーザによりフィルタ自動設定がＯＮされているか否かを判断する。フィルタ自動設定がＯＮされている場合（ＹＥＳ）には、処理はステップＳＴ２に進み、フィルタ自動設定がＯＦＦされていない場合（ＮＯ）には、処理はステップＳＴ５に進む。
【００５８】
ステップＳＴ２において、制御部７は、表示画面情報を解析する。具体的には、制御部７は、画面に表示される情報を解析して、例えば、文字や画像の種別、テキスト文字、フォントや大きさ等の文字種、記憶部８に記憶されている文字や画像、固有名詞等の解析を行う。これにより制御部７は、ユーザにより指定された領域以外にフィルタをかける部分があるか否かの判断が可能となる。
【００５９】
ステップＳＴ３において、制御部７は、フィルタ範囲を決定する。制御部７は、ステップＳＴ１において解析された表示画像情報に基づいて、フィルタ領域を決定する。図３（ａ）の例では、テキスト文字の「Ｍｅｒｒｙ  ★デートにいこ！  Ｃｈｒｉｓｔｍａｓ」、固有名詞「タロー」、「タロー」に隣接する文字「より」及び記憶部８に記憶されているハートの図柄の画像がフィルタの対象として決定される。
【００６０】
ステップＳＴ４において、制御部７は、フィルタ付きメール画面を表示する。詳細には、制御部７は、表示部５にステップＳＴ３において決定されたフィルタ領域に対応する領域の明度を低くするように表示部５を制御する。その結果、表示部５では、図３（ｂ）に示すようなフィルタ付き画面が表示される。
【００６１】
ステップＳＴ５において、制御部７は、ユーザによりスワイプされて範囲が指定されたか否かを判断する。ユーザによりタッチパネル２の表面がスワイプされた場合（ＹＥＳ）には、処理はステップＳＴ６に進む。この際、制御部７は、次回の処理に反映させるために、変更された文字等を記憶部８に学習データとして記憶させる。記憶された学習データは、ステップＳＴ２の解析に用いられて、ユーザの趣向にあったフィルタ領域の決定に反映される。
一方、ユーザによりタッチパネル２の表面がスワイプされなかった場合（ＮＯ）には、処理はステップＳＴ７に進む。
【００６２】
ステップＳＴ６において、制御部７は、ユーザによりタッチパネル２の表面がスワイプされた範囲を検出する。
【００６３】
次いで、ステップＳＴ７において、制御部７は、フィルタ範囲を決定する。制御部７は、ステップＳＴ６で検出された領域へのフィルタの解除又は設定を行う。
【００６４】
次いで、ステップＳＴ８において、制御部７は、ユーザによりメールの送信操作がされたか否かを判断する。ユーザによりメールの送信操作がされた場合（ＹＥＳ）には、処理はステップＳＴ９に進み、ユーザによりメールの送信操作がされない場合（ＮＯ）には、処理はステップＳＴ１に戻る。なお、送信に際して、制御部７は、メールに係るデータに、フィルタに対応する領域と対応づけて当該表示部５の明度を低く変更する旨の情報を付加する。
【００６５】
ステップＳＴ９において、通信部９は、メールを送信する。具体的には、制御部７は、通信部９に対し、フィルタに対応する領域に対応づけて当該表示部５の明度を低く変更する旨の情報を含むメールに係るデータを所定の送信先に送信するように制御する。その後、メールが送信され、処理は終了する。なお、ステップＳＴ１〜ステップＳＴ３と、ステップＳＴ４〜ステップＳＴ５との順番を前後させることで、先にユーザによるスワイプ操作によってフィルタ範囲を指定してもよい。また、例えば、ステップＳＴ２〜ステップＳＴ４はメールを一時的に受信したサーバの方でも実行してもよい。
【００６６】
次に、携帯電話機１において受信したメールの表示処理に係る動作について図７を用いて説明する。図７は、携帯電話機１において受信したメールの表示処理に係る動作の流れを示すフロー図である。
【００６７】
メールを受信した携帯電話機１では、ステップＳＴ２０において、制御部７により受信メールの解析が行われる。詳細には、制御部７は、メールに係るデータに、フィルタに対応する領域の表示部５の明度を低く変更する旨の情報を付加されているか否かの解析を行う。
【００６８】
ステップＳＴ２１において、制御部７は、フィルタ付きメールか否かの判断を行う。フィルタ付きメールと判断した場合（ＹＥＳ）には、処理はステップＳＴ２２に進む。また、フィルタ付きメールでないと判断した場合（ＮＯ）には、メールを表示して、処理はステップＳＴ３１に進む。
【００６９】
ステップＳＴ２２において、表示部５は、メールを表示する。詳細には、制御部７は、ステップＳＴ２０において、メールに対応づけられた一部領域の明度等の情報に基づいて、フィルタをかける領域の明度を低く変更するように表示部５を制御する。その結果、表示部５においては、フィルタがかけられたメールが表示されることになる。
【００７０】
ステップＳＴ２３において、携帯電話機１は、表示モード（画面が変更不可の状態）となる。制御部７は、例えば、図４（ａ）に示すような画面を表示するように表示部５を制御する。
【００７１】
ステップＳＴ２４において、制御部７は、表示モードの解除が行われたか否かを判断する。詳細には、制御部７は、ユーザにより例えば、図４（ａ）に示すように、タッチパネル２を所定の回数タップする操作が行われたか否かを判断する。表示モードの解除が行われた（ＯＫ）と判断された場合（ＹＥＳ）には、処理はステップＳＴ２５に進む。表示モードの解除が行われなかった（ＮＯ）と判断された場合（ＮＯ）には、依然として表示モードを維持し続けるように処理はステップＳＴ２３に戻る。
【００７２】
ステップＳＴ２５において、携帯電話機１は、フィルタ操作モード（画面が変更可能な状態）となる。本モードに移行することにより、表示される画面は、図４（ａ）に示す状態から、図４（ｂ）に示す状態に移行する。表示部５においては、図４（ｂ）に示されるように、明度の低い領域が破線で囲われるように表示される。
【００７３】
ステップＳＴ２６において、制御部７は、解除範囲がスワイプされたか否かを判断する。制御部７は、ユーザによりタッチパネル２の表面をスワイプされたか否かを判断する。解除範囲がスワイプされたと判断された場合（ＹＥＳ）には、処理はステップＳＴ２７に進み、解除範囲がスワイプされなかったと判断された場合（ＮＯ）には、処理はステップＳＴ３１に進む。
【００７４】
ステップＳＴ２７において、制御部７は、フィルタの解除範囲を認識する。
【００７５】
ステップＳＴ２８においては、制御部７は、認識範囲に対してフィルタを解除する。詳細には、制御部７は、ステップＳＴ２７において認識された領域の明度を低く変更される前の明度にするように表示部５を制御する。その結果、表示部５においては、認識された範囲に応じて、例えば、図４（ｃ）に示すようなフィルタが解除された画面が表示される。なお、携帯電話機１においては、図５（ａ）に示すように、フィルタの一部だけを解除することもできる。
【００７６】
ステップＳＴ２９において、制御部７は、指定時間か経過したか否かを判断する。所定時間が経過した場合（ＹＥＳ）には、ステップＳＴ２９に進む。なお、本実施形態において、指定時間は、３秒程度に設定される。
【００７７】
ステップＳＴ３０において、制御部７は、認識範囲に対してフィルタ再有効化を行う。詳細には、制御部７は、例えば、図５（ａ）に示す例のようにフィルタが解除された状態から、図５（ｂ）のように、フィルタがかけられる領域の明度を徐々に低くして、最終的に図５（ｃ）に示すようなフィルタがかかった状態に移行させるように表示部５を制御する。
【００７８】
ステップＳＴ３１において、表示部５は、メールを表示する。詳細には、制御部７は、ステップＳＴ２１においてフィルタ付きメールでないと判断されたメール又はステップＳＴ３０においてフィルタが再有効化されたメールを表示するように表示部５を制御する。
【００７９】
したがって、フィルタがかけられた処理が施されたメールを受信したユーザは、覗き見を気にすることなく、画面を閲覧することができ、自分のタイミングでフィルタがかけられた領域を閲覧することができる。その際のフィルタが再有効化する時間は、フィルタがかけられる文字列に対応して変化してもよい。
【００８０】
なお、本発明は、上述の実施形態に限定されるものではなく、本発明の目的を達成できる範囲での変形、改良等は本発明に含まれるものである。
【００８１】
また、上述の実施形態においては、明度の変更に際して、明度を低くする前の値に基づいて、明度の変更を行うように構成したがこれに限られず、例えば、明度の低い領域以外の領域の明度に明度の値に基づいて、明度の変更を行うように構成してもよい。
【００８２】
また、上述した実施形態では、メールの送信前に、送信側の携帯電話機１においてフィルタ領域の判断を行うように構成したがこれに限られない。フィルタ領域の判断は、例えば、送信側の携帯電話機１において、フィルタをかける有無をメールと共に送信し、メールを転送するサーバや受信する携帯電話機１で、フィルタをかける有無に基づいて、フィルタをかけるように構成してもよい。
【００８３】
また、上述の実施形態では、メールデータに、明度を低くする領域や明度を低くする前の明度の値や、低くした明度の値等の付加的な情報を添付するように構成したがこれに限られない。例えば、表示される画面がＨＴＭＬ等で構成される場合には、タグ情報として含ませるように構成することができる。
【００８４】
また、上述の実施形態においては、一例として携帯電話機１のメールについて説明したが、これに限られない。本発明は、メールの表示やブラウザの表示に限らず、各種アプリケーションの表示やオペレーションシステム上での動作における表示でも適用することができる。
【００８５】
また、上述の実施形態においては、フィルタが有効になる時間を３秒程度としたがこれに限られず、種々設定可能である。また、フィルタが有効になる時間は、例えば、メールの画面、ブラウザの画面等の使用される状況に応じて設定可能である。具体的には、メールの画面である場合には、３秒程度であり、ブラウザの画面であれば１秒程度等に設定することができる。
【００８６】
また、上述の実施形態においては、表示部５を有機ＥＬパネル（有機ＥＬ表示部）として構成したがこれに限られない。表示部５は、画面の一部の明度を低く変更することが可能な表示デバイスであればよく、例えば、液晶表示パネル（液晶表示部）により構成してもよい。
【００８７】
また、上述の実施形態においては、覗き見を防止する目的で本発明を構成したが、画面の一部の領域の明度が低く変更されていることは、画面の明度が他の領域と異なっており、画面の明度を低い状態から高い状態に変更することで、注意を引くことになり視覚的な効果を発生させる。したがって、本発明は、覗き見を防止するという効果の他に、明度を低く変更した領域に重要なメッセージ等を対応させることで、視覚的効果を発揮する画面を提供することができる。さらに、明度の変更に際して、ユーザによる操作を伴うことで、より効果的に明度を変更する部分をユーザに印象づけることができ、さらなる視覚的効果を発揮させることができる。本発明は、例えば、画面の閲覧者にメッセージ等の伝えたい部分をフィルタし、閲覧者に当該フィルタを解除させて、メッセージ等を伝えるような演出を行い、閲覧者にサプライズを与えるために、利用してもよい。
【００８８】
また、上述の実施形態では、本発明は、電子機器の一例として携帯電話機１を説明したが、特にこれに限られない。本発明は、例えば、表示部５を備える電子機器一般に適用することができる。
【符号の説明】
【００８９】
１  携帯電話機（電子機器）
２  タッチパネル（タッチセンサ）
５  表示部
６  操作部
７  制御部
８  記憶部
９  通信部
【図１】
0005588365.tif 000002
【図２】
0005588365.tif 000003
【図３】
0005588365.tif 000004
【図４】
0005588365.tif 000005
【図５】
0005588365.tif 000006
【図６】
0005588365.tif 000007
【図７】
0005588365.tif 000008